(57)【要約】【課題】作業員の実際の作業時間を容易に確認することができる熱加工システムおよび当該熱加工システムで用いられる熱加工用トーチを提供する。【解決手段】溶接電源装置１から電力を供給されて熱加工を行う溶接トーチ３において、表示画面を有する表示部３２と、使用されていることを検出する使用検出部３６１と、使用検出部３１によって使用されていることが検出されている時間を累積した累積使用時間を計時する累積使用時間計時部３６３と、累積使用時間を表示部３２に表示させる表示制御部３６５とを備えるようにした。【選択図】図１
2018061984.tif 000002
【特許請求の範囲】
【請求項１】
電源装置から電力を供給されて熱加工を行う熱加工用トーチであって、
表示画面を有する表示部と、
使用されていることを検出する使用検出部と、
前記使用検出部によって使用されていることが検出されている時間を累積した累積使用時間を計時する累積使用時間計時部と、
前記累積使用時間を前記表示部に表示させる表示制御部と、
を備えていることを特徴とする熱加工用トーチ。
【請求項２】
操作ボタンを有する操作部をさらに備えており、
前記表示制御部は、前記操作部からの操作入力に基づいて、前記累積使用時間を前記表示部に表示させる、
請求項１に記載の熱加工用トーチ。
【請求項３】
前記操作部は、電力を供給される状態とされない状態とを切り替えるスイッチを備えており、
前記使用検出部は、前記スイッチの操作に基づいて、使用されていることを検出する、
請求項２に記載の熱加工用トーチ。
【請求項４】
前記電源装置から電力を供給されていることを検出するセンサ部をさらに備えており、
前記使用検出部は、前記センサ部による検出結果に基づいて、使用されていることを検出する、
請求項１または２に記載の熱加工用トーチ。
【請求項５】
前記電源装置による電力の供給状態を示す信号を受信する通信部をさらに備えており、
前記使用検出部は、前記通信部が受信した前記信号に基づいて、使用されていることを検出する、
請求項１または２に記載の熱加工用トーチ。
【請求項６】
前記累積使用時間計時部は１日の累積使用時間を計時し、
前記累積使用時間を積算して、総累積使用時間を算出する積算部をさらに備えている、
請求項１ないし５のいずれかに記載の熱加工用トーチ。
【請求項７】
外部から供給される電力を、前記表示部に供給する電源部をさらに備えており、
前記電源部は、電力を蓄積する蓄電装置を備えている、
請求項１ないし６のいずれかに記載の熱加工用トーチ。
【請求項８】
前記蓄電装置は、少なくとも、前記累積使用時間を前記表示部に表示させて確認するための時間、前記表示部に供給できる電力を蓄積することができる、
請求項７に記載の熱加工用トーチ。
【請求項９】
前記蓄電装置は、大容量のキャパシタである、
請求項７または８に記載の熱加工用トーチ。
【請求項１０】
前記表示制御部は、前記電源部に外部から電力が供給されていない場合には、まず、前記累積使用時間を前記表示部に表示させる、
請求項７ないし９のいずれかに記載の熱加工用トーチ。
【請求項１１】
前記使用検出部によって使用されていることが検出されている時間に基づいて、使用率を演算する使用率演算部をさらに備え、
前記表示制御部は、前記使用率を前記表示部に表示させる、
請求項１ないし１０のいずれかに記載の熱加工用トーチ。
【請求項１２】
アークによる熱で溶接を行う、
請求項１ないし１１のいずれかに記載の熱加工用トーチ。
【請求項１３】
請求項１ないし１２のいずれかに記載の熱加工用トーチと、
前記電源装置と、
を備えていることを特徴とする熱加工システム。
【請求項１４】
請求項１ないし６のいずれかに記載の熱加工用トーチを接続されて、前記熱加工用トーチに電力を供給する簡易電源装置であって、
熱加工のための電力は供給せず、前記表示部を駆動させるための２４Ｗ以下の電力を供給する、
ことを特徴とする簡易電源装置。
【請求項１５】
請求項１ないし６のいずれかに記載の熱加工用トーチを、熱加工のための電力は供給せず、前記表示部を駆動させるための２４Ｗ以下の電力を供給する簡易電源装置に接続する第１の工程と、
前記累積使用時間を前記表示部に表示させる第２の工程と、
前記表示部に表示された前記累積使用時間を確認する第３の工程と、
を備えていることを特徴とする、前記累積使用時間の確認方法。
【発明の詳細な説明】
【技術分野】
【０００１】
本発明は、熱加工に用いられる熱加工用トーチ、熱加工システム、簡易電源装置、および、確認方法に関する。
【背景技術】
【０００２】
アークなどの熱を利用して溶接や切断などの熱加工を行うための熱加工システムがある。熱加工システムのトーチは、熱によって劣化するので、使用期限(寿命)が設定されている。トーチの累積使用時間が寿命を超えた場合、トーチを交換する必要がある。特許文献１には、溶接時間を計時して、累計値が寿命を超えた場合に警告を行うアーク溶接システムが記載されている。当該アーク溶接システムは、溶接トーチに設けられた記憶媒体に、累計値を保存している。
【先行技術文献】
【特許文献】
【０００３】
【特許文献１】特許第５５９４１１８号
【発明の概要】
【発明が解決しようとする課題】
【０００４】
大規模な溶接の作業現場では、管理者が作業者の労働を管理する必要がある。作業者の中には溶接作業を怠ける不届き者もいるが、管理者は、常にすべての作業者の作業状態を監視することはできない。実際に溶接作業を行っていた時間を確認できれば、作業者が怠けていたか否かを判断することができる。特許文献１に記載のアーク溶接システムの場合、溶接時間を計時して累計値を算出しているので、作業終了後に一日の溶接時間を確認することもできる。
【０００５】
しかしながら、作業現場のあちこちに配置されている溶接電源装置を操作して、溶接時間を確認するのは大変な作業になる。また、溶接トーチを１か所に集めて、各溶接トーチの記憶媒体から溶接時間の累計値を読み出すことも可能であるが、各溶接トーチを順に溶接電源装置に接続して、溶接電源装置の表示部で確認する必要がある。
【０００６】
この問題は溶接システムに限られた問題ではなく、アーク切断システムなどの熱加工システムにおいても問題となる。
【０００７】
本発明は上記した事情のもとで考え出されたものであって、作業員の実際の作業時間を容易に確認することができる熱加工システム、および、当該熱加工システムで用いられる熱加工用トーチを提供することをその目的としている。
【課題を解決するための手段】
【０００８】
上記課題を解決するため、本発明では、次の技術的手段を講じている。
【０００９】
本発明の第１の側面によって提供される熱加工用トーチは、電源装置から電力を供給されて熱加工を行う熱加工用トーチであって、表示画面を有する表示部と、使用されていることを検出する使用検出部と、前記使用検出部によって使用されていることが検出されている時間を累積した累積使用時間を計時する累積使用時間計時部と、前記累積使用時間を前記表示部に表示させる表示制御部とを備えていることを特徴とする。この構成によると、累積使用時間が熱加工用トーチに設けられた表示部に表示される。したがって、熱加工用トーチを表示部を備えた装置に接続することなく、累積使用時間を確認することができる。これにより、作業終了後に作業員の実際の作業時間を容易に確認することができる。
【００１０】
本発明の好ましい実施の形態においては、前記熱加工用トーチは、操作ボタンを有する操作部をさらに備えており、前記表示制御部は、前記操作部からの操作入力に基づいて、前記累積使用時間を前記表示部に表示させる。この構成によると、手元の操作部の操作によって、累積使用時間を表示部に表示させて確認することができる。
【００１１】
本発明の好ましい実施の形態においては、前記操作部は、電力を供給される状態とされない状態とを切り替えるスイッチを備えており、前記使用検出部は、前記スイッチの操作に基づいて、使用されていることを検出する。この構成によると、スイッチの操作状態を使用状態とすることができる。
【００１２】
本発明の好ましい実施の形態においては、前記熱加工用トーチは、前記電源装置から電力を供給されていることを検出するセンサ部をさらに備えており、前記使用検出部は、前記センサ部による検出結果に基づいて、使用されていることを検出する。この構成によると、電源装置からの電力の供給状態を使用状態とすることができる。
【００１３】
本発明の好ましい実施の形態においては、前記熱加工用トーチは、前記電源装置による電力の供給状態を示す信号を受信する通信部をさらに備えており、前記使用検出部は、前記通信部が受信した前記信号に基づいて、使用されていることを検出する。この構成によると、電源装置による電力の供給状態を使用状態とすることができる。
【００１４】
本発明の好ましい実施の形態においては、前記累積使用時間計時部は１日の累積使用時間を計時し、前記熱加工用トーチは、前記累積使用時間を積算して、総累積使用時間を算出する積算部をさらに備えている。この構成によると、１日の累積使用時間と、累積使用時間を積算した総累積使用時間とを、計時することができる。
【００１５】
本発明の好ましい実施の形態においては、外部から供給される電力を、前記表示部に供給する電源部をさらに備えており、前記電源部は、電力を蓄積する蓄電装置を備えている。この構成によると、外部から電力が供給されなくなっても、蓄電装置に蓄積された電力を供給することができる。
【００１６】
本発明の好ましい実施の形態においては、前記蓄電装置は、少なくとも、前記累積使用時間を前記表示部に表示させて確認するための時間、前記表示部に供給できる電力を蓄積することができる。この構成によると、外部から電力が供給されない状態でも、累積使用時間を表示部に表示させて確認することができる。
【００１７】
本発明の好ましい実施の形態においては、前記蓄電装置は、大容量のキャパシタである。この構成によると、熱加工用トーチを小型軽量化することができる。
【００１８】
本発明の好ましい実施の形態においては、前記表示制御部は、前記電源部に外部から電力が供給されていない場合には、まず、前記累積使用時間を前記表示部に表示させる。この構成によると、外部から電力が供給されていない場合には、まず、累積使用時間が表示される。したがって、すぐに、累積使用時間を確認することができる。
【００１９】
本発明の好ましい実施の形態においては、前記使用検出部によって使用されていることが検出されている時間に基づいて、使用率を演算する使用率演算部をさらに備え、前記表示制御部は、前記使用率を前記表示部に表示させる。この構成によると、使用率を手元の表示部に表示することができる。
【００２０】
本発明の好ましい実施の形態においては、前記熱加工用トーチは、アークによる熱で溶接を行う。
【００２１】
本発明の第２の側面によって提供される熱加工システムは、本発明の第１の側面によって提供される熱加工用トーチと、前記電源装置とを備えていることを特徴とする。
【００２２】
本発明の第３の側面によって提供される簡易電源装置は、本発明の第１の側面によって提供される熱加工用トーチを接続されて、前記熱加工用トーチに電力を供給する簡易電源装置であって、熱加工のための電力は供給せず、前記表示部を駆動させるための２４Ｗ以下の電力を供給することを特徴とする。
【００２３】
本発明の第４の側面によって提供される確認方法は、本発明の第１の側面によって提供される熱加工用トーチを、熱加工のための電力は供給せず、前記表示部を駆動させるための２４Ｗ以下の電力を供給する簡易電源装置に接続する第１の工程と、前記累積使用時間を前記表示部に表示させる第２の工程と、前記表示部に表示された前記累積使用時間を確認する第３の工程とを備えていることを特徴とする。
【発明の効果】
【００２４】
本発明によると、累積使用時間が熱加工用トーチに設けられた表示部に表示される。したがって、熱加工用トーチを表示部を備えた装置に接続することなく、累積使用時間を確認することができる。これにより、作業終了後に作業員の実際の作業時間を容易に確認することができる。
【００２５】
本発明のその他の特徴および利点は、添付図面を参照して以下に行う詳細な説明によって、より明らかとなろう。
【図面の簡単な説明】
【００２６】
【図１】第１実施形態に係る溶接システムを説明するための図であり、（ａ）は全体構成を示す概要図であり、（ｂ）は機能構成を示すブロック図であり、（ｃ）は制御部の内部構成を示す機能ブロック図である。
【図２】第１実施形態に係る溶接トーチの一例の外観を示す図であり、（ａ）は正面図であり、（ｂ）は平面図である。
【図３】ディスプレイに表示される画面の切り替えを説明するための図であり、（ａ）は各画面を順番に切り替える場合を示しており、（ｂ）はメニュー画面から所望の画面を選択する場合を示している。
【図４】溶接時間計時処理を説明するためのフローチャートである。
【図５】作業終了後の溶接トーチの保管状態を示している。
【図６】第２実施形態に係る溶接システムの機能構成を示すブロック図である。
【発明を実施するための形態】
【００２７】
以下、本発明の実施の形態を、本発明を溶接トーチ（溶接システム）に適用した場合を例として、図面を参照して具体的に説明する。
【００２８】
図１は、第１実施形態に係る溶接システムＡ１を説明するための図である。図１（ａ）は、溶接システムＡ１の全体構成を示す概要図である。図１（ｂ）は、溶接システムＡ１の機能構成を示すブロック図である。図１（ｃ）は制御部３６の内部構成を示す機能ブロック図である。
【００２９】
図１に示すように、溶接システムＡ１は、溶接電源装置１、ワイヤ送給装置２、溶接トーチ３、パワーケーブル４１,４２、電力伝送線５、信号線８、ガスボンベ６、およびガス配管７を備えている。本実施形態においては、溶接システムＡ１が本発明の「熱加工システム」に相当し、溶接トーチ３が本発明の「熱加工用トーチ」に相当する。また、溶接電源装置１が本発明の「電源装置」に相当する。溶接電源装置１の一方の出力端子は、パワーケーブル４１を介して、溶接トーチ３に接続されている。ワイヤ送給装置２は、ワイヤ電極を溶接トーチ３に送り出して、ワイヤ電極の先端を溶接トーチ３の先端から突出させる。溶接トーチ３の先端に配置されているコンタクトチップにおいて、パワーケーブル４１とワイヤ電極とは電気的に接続されている。溶接電源装置１の他方の出力端子は、パワーケーブル４２を介して、被加工物Ｗに接続される。溶接電源装置１は、溶接トーチ３の先端から突出するワイヤ電極の先端と、被加工物Ｗとの間にアークを発生させ、アークに電力を供給する。溶接システムＡ１は、当該アークの熱で被加工物Ｗの溶接を行う。
【００３０】
溶接システムＡ１は、溶接時にシールドガスを用いる。ガスボンベ６のシールドガスは、溶接電源装置１およびワイヤ送給装置２を通るように設けられているガス配管７によって、溶接トーチ３の先端に供給される。溶接電源装置１からワイヤ送給装置２へは、送給モータなどを駆動させるための電力（例えばＤＣ２４Ｖ）が、電力伝送線５を介して供給される。また、溶接電源装置１とワイヤ送給装置２とは、信号線８を介して通信を行っている。なお、溶接システムＡ１は、溶接トーチ３に冷却水を循環させるようになっていてもよい。
【００３１】
溶接電源装置１は、アーク溶接のための電力を溶接トーチ３に供給するものである。溶接電源装置１は、電力系統Ｐから入力される三相交流電力をアーク溶接に適した電力に変換して出力する。また、溶接電源装置１は、電力系統Ｐから入力される三相交流電力を、ワイヤ送給装置２の送給モータなどを駆動するための直流電力に変換して、電力伝送線５を介してワイヤ送給装置２に出力する。
【００３２】
溶接電源装置１は、溶接条件などに応じて電力を出力するように制御されており、溶接条件などは、図示しない操作部の操作に応じて変更される。また、溶接電源装置１は、信号線８を介して溶接トーチ３から入力される信号に応じて、溶接条件などを変更する。
【００３３】
ワイヤ送給装置２は、ワイヤ電極を溶接トーチ３に送り出すものである。ワイヤ電極は、トーチケーブル３９および溶接トーチ３の内部に設けられているライナの内部を通って、溶接トーチ３の先端に導かれる。ワイヤ送給装置２は、電力伝送線５を介して溶接電源装置１から供給される電力で、送給モータなどを駆動させる。また、この電力は、ワイヤ送給装置２からトーチケーブル３９内部に設けられている電力伝送線（図示なし）を介して、溶接トーチ３にも供給される。ワイヤ送給装置２は、信号線８を介して、溶接電源装置１と通信を行う。また、ワイヤ送給装置２は、トーチケーブル３９内部に設けられている信号線（図示なし）を介して、溶接トーチ３と通信を行う。溶接トーチ３と溶接電源装置１とは、ワイヤ送給装置２を仲介することで、通信を行う。
【００３４】
ワイヤ送給装置２と溶接トーチ３とは、トーチケーブル３９によって接続されている。トーチケーブル３９は、溶接トーチ３の基端に接続されたケーブルであり、ケーブル内部にパワーケーブル４１、ガス配管７、ライナ、電力伝送線および信号線が配置されている。
【００３５】
コネクタ２１は、溶接トーチ３とワイヤ送給装置２とを接続するための接続用端子である。例えば、コネクタ２１は、凹型の接続用端子であり、溶接トーチ３のトーチケーブル３９の一端に備えられた凸型のトーチプラグ（図示しない）を差し込まれることで、溶接トーチ３とワイヤ送給装置２とを接続する。このコネクタ２１を介して、ワイヤ送給装置２の内部のパワーケーブル４１、ガス配管７、ライナ、電力伝送線５および信号線８が、それぞれ、トーチケーブル３９の内部のパワーケーブル４１、ガス配管７、ライナ、電力伝送線および信号線に接続される。
【００３６】
溶接トーチ３は、溶接電源装置１から供給される溶接電力により、被加工物Ｗの溶接を行う。溶接トーチ３は、機能ブロックとして、通信部３１、表示部３２、操作部３３、記憶部３４、センサ部３５、制御部３６、および電源部４０を備えている。
【００３７】
通信部３１は、ワイヤ送給装置２との間で通信を行うためのものである。通信部３１は、制御部３６から入力される信号を、トーチケーブル３９内部の信号線を介して、ワイヤ送給装置２に送信する。また、通信部３１は、トーチケーブル３９内部の信号線を介してワイヤ送給装置２から入力される信号を受信して、制御部３６に出力する。通信の規格としては、例えばＣＡＮ（Controller Area Network）が使用される。
【００３８】
表示部３２は、各種表示を行うものであり、例えば液晶表示装置であるディスプレイ３２１（後述）を備えている。表示部３２は、制御部３６によって制御されており、記憶部３４に記憶されている溶接条件や計時された溶接時間などの表示を行う。
【００３９】
操作部３３は、複数の操作手段を備えており、作業者による各操作手段の操作を操作信号として制御部３６に出力するものである。操作手段としては、後述するように、トーチスイッチ３３１および操作ボタン３３２がある。なお、操作部３３には、他の操作手段が設けられていてもよい。
【００４０】
記憶部３４は、溶接条件などの各設定値や、溶接時間などの情報を記憶するものである。
【００４１】
センサ部３５は、複数のセンサを備えており、各センサの検出値を制御部３６に出力する。本実施形態において、センサ部３５は、後述する加速度センサ３５１および電流センサ３５３を備えている。なお、センサ部３５は、その他のセンサを備えていてもよい。
【００４２】
制御部３６は、溶接トーチ３の制御を行うものであり、例えばマイクロコンピュータなどによって実現されている。制御部３６は、操作部３３より入力される操作信号に応じて、所定の処理を行う。また、制御部３６は、センサ部３５より入力される検出値に基づいて、所定の演算を行い、演算結果を処理に用いる。具体的には、制御部３６は、加速度センサ３５１が検出した検出値に基づいて溶接トーチ３の傾き情報を演算し、メニュー画面への切替処理に用いる。また、制御部３６は、電流センサ３５３が検出した電流に基づいて、溶接時間の計時処理を行う。メニュー画面への切替処理や溶接時間の計時処理については後述する。また、制御部３６は、通信部３１による通信や、記憶部３４の情報の書き込みおよび読出し、表示部３２での表示を制御する。具体的な制御内容については、後述する。
【００４３】
電源部４０は、表示部３２および制御部３６などに電力を供給するものである。電源部４０は、トーチケーブル３９の内部に配置されている電力伝送線を介して、ワイヤ送給装置２から電力を供給され、表示部３２および制御部３６のそれぞれに適した電圧に変換を行って出力する。電源部４０は、ワイヤ送給装置２から供給される電力を蓄積するキャパシタ、キャパシタから電力伝送線に電流が逆流するのを防ぐためのダイオード、表示部３２および制御部３６などに出力する電圧を調整するためのＤＣ/ＤＣコンバータを備えている。
【００４４】
本実施形態では、ワイヤ送給装置２から電力が供給されない状態でも表示部３２および制御部３６などに電力を供給できるように、キャパシタを大容量のキャパシタ（電気二重層キャパシタやリチウムイオンキャパシタなど）としている。当該キャパシタは、ワイヤ送給装置２から電力が供給されている間に電力を蓄積しておき、ワイヤ送給装置２から電力が供給されない状態では、蓄積された電力を放出することで電力を供給する。当該キャパシタは、本発明の「蓄電装置」に相当する。本実施形態では、ワイヤ送給装置２から電力が供給されない状態でも、表示部３２および制御部３６などに電力を１０分程度供給できるようにしている。例えば、２４Ｖの電圧で０.１Ａの電流を１０分間供給するためには、キャパシタの容量を５Ｆ以上とする必要がある。
【００４５】
なお、電源部４０の構成は、上記したものに限定されない。例えば、大容量キャパシタに代えて、リチウムイオン電池などの二次電池を用いるようにしてもよい。また、電源部４０とは別に、乾電池や水銀電池などの一次電池を備えて、ワイヤ送給装置２から電力が供給されない場合は、当該一次電池から電力を供給するようにしてもよい。つまり、ワイヤ送給装置２から電力が供給されない状態でも、ある程度の期間、電力を供給できる構成が備えられていればよい。
【００４６】
図２は、溶接トーチ３の一例の外観を示す図である。同図（ａ）は正面図であり、同図（ｂ）は平面図である。図２に示すように、溶接トーチ３は、トーチボディ３７、ハンドル３８、トーチスイッチ３３１、操作ボタン３３２、ディスプレイ３２１、加速度センサ３５１、電流センサ３５３、およびトーチケーブル３９を備えている。
【００４７】
トーチボディ３７は、金属製の筒状の部材であり、内部に、溶接ケーブルが挿通されたライナ、パワーケーブル４１、およびガス配管７が配置されている。トーチボディ３７の先端には、ノズル３７１が取り付けられている。トーチボディ３７は、作業者が被加工物Ｗに対してノズル３７１を向けやすいように、湾曲部分を有している。
【００４８】
ハンドル３８は、作業者が把持するための部位であり、トーチボディ３７の基端部を保持するように設けられている。作業者は、このハンドル３８を把持して、溶接作業を行う。ハンドル３８には、トーチスイッチ３３１、操作ボタン３３２、およびディスプレイ３２１が配置されている。また、ハンドル３８の内部には、制御基板３８１が配置されている。制御基板３８１には、通信部３１、表示部３２、操作部３３、記憶部３４、センサ部３５、および制御部３６を構成する回路が搭載されている。
【００４９】
トーチスイッチ３３１は、溶接の開始／停止操作を受け付けるための操作手段であり、ハンドル３８を把持した作業者が、人差し指で押動操作しやすい位置に配置されている。トーチスイッチ３３１のオン操作（押下）により、操作信号が制御部３６に出力され、当該操作信号が溶接電源装置１に入力されることで、溶接電源装置１は溶接電力の出力を行う。オン操作が解除されることで、溶接電源装置１は、溶接電力の出力を停止する。すなわち、トーチスイッチ３３１を押下している間だけ溶接が行われる。当該トーチスイッチ３３１が本発明の「スイッチ」に相当する。
【００５０】
ディスプレイ３２１は、各種表示を行うものであり、ハンドル３８を把持して溶接作業を行う作業者が画面を見やすいように、ハンドル３８のトーチスイッチ３３１とは反対側に配置されている。当該ディスプレイ３２１が本発明の「表示装置」に相当する。
【００５１】
操作ボタン３３２は、画面の切り替えや各種設定値を変更する操作を行うための操作手段であり、ハンドル３８のディスプレイ３２１と同じ側の、ハンドル３８の把持部分とディスプレイ３２１との間に配置されている。操作ボタン３３２は、上ボタン３３２ａ、下ボタン３３２ｂ、左ボタン３３２ｃ、および右ボタン３３２ｄからなる。各ボタン３３２ａ〜３３２ｄが押下されると、対応する操作信号が制御部３６に出力され、制御部３６は対応する処理を行う。左ボタン３３２ｃおよび右ボタン３３２ｄは、ディスプレイ３２１に表示される画面を切り替えるための操作手段である。上ボタン３３２ａおよび下ボタン３３２ｂは、ディスプレイ３２１に表示されている設定値を変更するための操作手段である。また、各ボタン３３２ａ〜３３２ｄは、後述するメニュー画面においては、別の操作のための機能を果たす。
【００５２】
各操作ボタン３３２の押下を検知するセンサは、制御基板３８１に搭載されている。また、ディスプレイ３２１は、同じ制御基板３８１上に配置されている。本実施形態においては、作業者がディスプレイ３２１の表示画面を見ながら各操作ボタン３３２の操作を行いやすいように、ディスプレイ３２１の表示画面が当該制御基板３８１に対して所定の角度を有するようになっている。なお、ディスプレイ３２１は、表示画面が当該基板と平行になるように配置されていてもよい。当該制御基板３８１には、制御部３６としてのマイクロコンピュータ、記憶部３４としてのメモリ、通信部３１としての通信モジュール、電源部４０を構成する各種電子部品も搭載されている。加速度センサ３５１も当該制御基板３８１上に搭載されている。
【００５３】
加速度センサ３５１は、３軸の加速度センサであり、自身に設定されている互いに直交する３つの軸の各軸方向の加速度を検出する。そして、検出した加速度の検出値を、制御部３６に出力する。制御部３６は、これらの加速度の検出値に基づいて、溶接トーチ３の姿勢を示す傾き情報を演算する。なお、センサ部３５は、加速度センサ３５１に代えて、ジャイロセンサを備えていてもよい。この場合、制御部３６は、ジャイロセンサが検出した各軸周りの加速度から傾き情報を演算する。
【００５４】
電流センサ３５３は、トーチボディ３７の内部に配置されているパワーケーブル４１（図２においては図示していない）に流れる電流を検出する。電流センサ３５３は、例えば、ホール素子形の電流センサであり、パワーケーブル４１に配置されている。なお、電流センサ３５３は限定されず、パワーケーブル４１を流れる電流を検出できるものであればよい。検出された電流はデジタル信号に変換されて制御部３６に入力される。制御部３６は、入力される信号に基づいて、溶接電流が流れているか否かを判別する。制御部３６は、入力される信号が所定の電流値（例えば５Ａ）以上を示す場合、溶接電流が流れていると判断する。
【００５５】
なお、溶接トーチ３の外観は上述したものに限定されない。例えば、トーチスイッチ３３１、操作ボタン３３２、およびディスプレイ３２１の配置場所や形状は限定されない。また、本実施形態においては、操作ボタン３３２が４つの独立したボタンである場合を示したが、１つの十字ボタンであってもよい。また、ボタンの数も限定されない。
【００５６】
次に、ディスプレイ３２１に表示される画面の切り替えについて説明する。
【００５７】
ディスプレイ３２１に表示される画面には、溶接条件を設定するための画面、溶接時間や使用率などを表示するための画面、および、表示のための設定画面などがある。図３（ａ）に示すように、各画面には順番が設定されており、左ボタン３３２ｃまたは右ボタン３３２ｄを押下することで、ディスプレイ３２１に表示される画面を切り替えることができる。例えば、「溶接電流設定」画面が表示されている状態で右ボタン３３２ｄが押下されると、「送給速度設定」画面に切り替えられ、「使用率」表示画面が表示されている状態で左ボタン３３２ｃが押下されると、「溶接時間」表示画面に切り替えられる。各画面には、例えば、画面のタイトルと、記憶部３４から読み出された設定値や、測定された値などの情報が表示される。記憶部３４には、溶接電源装置１の記憶部に記憶されている各設定値などが、通信部３１を介してあらかじめ読み出されて記憶されている。また、溶接時間や使用率は、逐次更新されながら記憶部３４に記憶されている。なお、表示される各情報は、記憶部３４から読み出されるのではなく、通信部３１を介して溶接電源装置１の記憶部から直接読み出されるようにしてもよい。
【００５８】
溶接条件を設定するための画面などでは、上ボタン３３２ａまたは下ボタン３３２ｂを押下することで、設定値を変更することができる。例えば、「溶接電流設定」画面が表示されている状態で上ボタン３３２ａが押下されると設定値は増加し、下ボタン３３２ｂが押下されると設定値は減少する。具体的には、制御部３６が、操作部３３から入力される操作信号に応じて、記憶部３４に記憶されている溶接電流の設定値を変更し、変更後の設定値を表示部３２に表示させる。また、制御部３６は、変更後の設定値を溶接電源装置１に送信するように、通信部３１に指示をする。変更後の設定値を受信した溶接電源装置１は、受信した設定値に基づいて、記憶されている設定値を更新する。これにより、溶接電源装置１に設定されている溶接電流の設定値が変更される。なお、制御部３６は、通信部３１から溶接電源装置１に設定値自体を送信させるのではなく、操作部３３から入力される操作信号に基づいて、設定値を増加（または減少）させるための信号を送信させるようにしてもよい。
【００５９】
しかし、切り替えられる画面の数が多いので、図３（ａ）に示すように順に画面を切り替える場合、所望の画面を表示するまでに時間がかかる場合がある。本実施形態では、図３（ｂ）に示すように、メニュー画面を設けて所望の画面に到達しやすいようにしている。
【００６０】
図３（ｂ）に示すように、メニュー画面（図において左側に示す画面）には、「溶接条件設定」、「表示情報切替」などの複数の選択肢が表示されている。上ボタン３３２ａまたは下ボタン３３２ｂを押下することでカーソルを移動させて、右ボタン３３２ｄを押下することで、所望の選択肢を選択することができる。そして、ディスプレイ３２１には、選択された選択肢に応じたサブメニュー画面が表示される（図において中央に示す画面）。同様にしてサブメニュー画面から選択肢を選択することで、所望の画面を表示させることができる。なお、図３（ｂ）は一例であって、メニュー画面などの構成は限定されない。例えば、メニュー画面で選択肢にカーソルを合わせた場合に、サブメニューがプルダウンやポップアップで表示されるようにしてもよいし、文字による選択肢に代えてアイコンを表示するようにしてもよい。また、メニュー画面を設ける場合は、メニュー画面からすべての画面に到達できるので、図３（ａ）に示す画面の切り替えにおいては、よく使う画面だけを限定して設定するようにしてもよい。また、順に画面を切り替える場合でも、画面をメニュー画面から選択する場合でも、溶接トーチ３のトーチプラグがワイヤ送給装置２のコネクタ２１に接続されているか否か（ワイヤ送給装置２から電力が供給されているか否か）によって、表示する画面を変更するようにしてもよい。例えば、溶接トーチ３がワイヤ送給装置２から切り離されているときには、必要とされない画面（「溶接電流設定」画面や「使用率」表示画面など）を表示しないようにしてもよい。また、溶接トーチ３がワイヤ送給装置２から切り離されているときには、まず、所定の画面（例えば「溶接時間」表示画面）が表示されるようにしてもよい。
【００６１】
本実施形態において、メニュー画面は、溶接トーチ３を所定の姿勢（例えば垂直に近い状態）にして、左ボタン３３２ｃを長押ししたときに表示される。溶接トーチ３の姿勢は、加速度センサ３５１から入力される検出値に基づいて判断される。なお、メニュー画面の表示方法は、これに限定されない。例えば、溶接トーチ３を所定の姿勢にすることや、所定のボタン操作によって、メニュー画面を表示するようにしてもよい。
【００６２】
次に、溶接時間の計時処理について説明する。
【００６３】
本実施形態では、溶接トーチ３の寿命を確認するため、また、作業者の労働管理のために、溶接時間の計時を行っている。具体的には、パワーケーブル４１に溶接電流が流れている時間を計時することで、溶接を行っている時間（溶接時間）を計時する。パワーケーブル４１には電流センサ３５３が配置されている。電流センサ３５３（センサ部３５）は、検出した電流信号を制御部３６に出力する。制御部３６は、電流センサ３５３から入力される電流信号に基づいて、溶接電流が流れているか否かを判別し、溶接電流が流れている間、内蔵するタイマで計時を行う。制御部３６は、計時された溶接時間を累計して、当日の累積時間を算出する。また、各日の累積時間を積算した積算時間も算出する。
【００６４】
図１（ｃ）に示すように、制御部３６は、機能ブロックとして、使用検出部３６１、計時部３６２、累積使用時間計時部３６３、積算部３６４、および、表示制御部３６５を備えている。
【００６５】
使用検出部３６１は、溶接トーチ３が使用されているか否かを検出するものである。使用検出部３６１は、電流センサ３５３（センサ部３５）から入力される電流信号に基づいて、溶接電流が流れているか否かを判別する。具体的には、使用検出部３６１は、入力される電流信号が所定の電流値（例えば５Ａ）以上を示す場合、溶接電流が流れていると判別する。パワーケーブル４１に溶接電流が流れている場合、溶接トーチ３は溶接作業に使用されているとみなすことができる。
【００６６】
計時部３６２は、溶接トーチ３が使用されている時間（以下では、「使用時間」とする）を計時するものである。計時部３６２は、使用検出部３６１が溶接電流が流れていると判別している間（溶接トーチ３が使用されていると判別している間）、内蔵するタイマで計時を行う。
【００６７】
累積使用時間計時部３６３は、計時部３６２が計時する時間を累積していくものである。溶接トーチ３は、トーチプラグがワイヤ送給装置２のコネクタ２１に差し込まれることで、起動する。累積使用時間計時部３６３は、溶接トーチ３が起動したときから、計時部３６２が計時した使用時間の累積を行う。したがって、累積使用時間計時部３６３は、溶接トーチ３の起動時からの使用時間（以下では、「累積使用時間」とする）を計時する。本実施形態では、溶接電流が流れている状態を使用状態としているので、累積使用時間は、溶接トーチ３の起動時からの溶接時間の累計を示している。累積使用時間計時部３６３は、記憶部３４に記憶されている累積使用時間を読み出して、これに計時部３６２が計時した使用時間を加算することで累積使用時間を算出する。算出された累積使用時間は記憶部３４に記憶される。つまり、累積使用時間は、計時部３６２が使用時間を計時する毎に更新される。
【００６８】
なお、計時部３６２を設けずに、累積使用時間計時部３６３が、使用検出部３６１の検出結果に基づいて、累積使用時間を計時するようにしてもよい。具体的には、累積使用時間計時部３６３が、使用検出部３６１が使用を検出している間は累積使用時間の計時を行い、使用検出部３６１が使用を検出していない間は累積使用時間の計時を停止すればよい。
【００６９】
溶接トーチ３は、トーチプラグがワイヤ送給装置２のコネクタ２１から取り外された時に、稼働を停止する。累積使用時間は、稼動が停止するまでは、起動時から現在までの使用時間の累計を示しており、稼動が停止した後は、今回の稼動中の使用時間の累計を示している。作業者は、１日の溶接作業の開始時に、トーチプラグをワイヤ送給装置２のコネクタ２１に差し込んで溶接トーチ３を起動し、溶接作業の終了時に、トーチプラグをワイヤ送給装置２のコネクタ２１から取り外して、溶接トーチ３の稼動を終了させる。したがって、溶接トーチ３の稼動を終了させた後は、累積使用時間は、一日の使用時間（溶接時間）の累計を示している。
【００７０】
積算部３６４は、累積使用時間計時部３６３が計時した累積使用時間を積算するものである。積算部３６４は、溶接トーチ３の稼動が終了したときに、累積使用時間計時部３６３が計時した累積使用時間を積算して、総累積使用時間を算出する。積算部３６４は、記憶部３４に記憶されている総累積使用時間を読み出して、これに今回の累積使用時間を加算することで総累積使用時間を算出する。算出された総累積使用時間は記憶部３４に記憶される。つまり、総累積使用時間は、毎日、溶接トーチ３の稼動終了後に更新される。したがって、溶接トーチ３の稼動中は、総累積使用時間は、前日までの積算値になっている。なお、稼動終了後にまとめて積算するのではなく、使用のたびに使用時間を総累積使用時間に積算していくようにしてもよい。この場合は、溶接トーチ３の稼動中も、総累積使用時間が最新の積算値となる。
【００７１】
表示制御部３６５は、表示部３２による画面表示を制御するものである。表示制御部３６５は、累積使用時間計時部３６３が計時した累積使用時間と、積算部３６４が積算した総累積使用時間とから「溶接時間」表示画面を生成し、表示部３２に出力して、ディスプレイ３２１に表示させる表示処理を行う。表示制御部３６５は、メニュー画面から「溶接時間」表示画面が選択された場合や、操作手段による操作によって「溶接時間」表示画面に切り替えられた場合に、当該表示処理を行う。「溶接時間」表示画面において、累積使用時間は、本日の溶接時間の欄に表示され、総累積使用時間は、溶接時間の積算値の欄に表示される（図３参照）。溶接トーチ３の稼動中は、本日の溶接時間の欄に起動時から現在までの溶接時間の累計が表示され、溶接時間の積算値の欄に前日までの溶接時間の積算値が表示される。一方、溶接トーチ３の稼動終了後は、本日の溶接時間の欄に本日の溶接時間の累計が表示され、溶接時間の積算値の欄に本日までの溶接時間の積算値が表示される。
【００７２】
図４は、制御部３６が行う溶接時間計時処理を説明するためのフローチャートである。当該処理は、溶接トーチ３が起動したときに開始される。本実施形態では、ワイヤ送給装置２のコネクタ２１に、溶接トーチ３のトーチプラグが差し込まれて、電源部４０に電力が供給されたときに、溶接トーチ３が起動する。
【００７３】
まず、累積使用時間を示す変数ｔｘ（以下では、「累積使用時間ｔｘ」とする）が「０」に初期化される（Ｓ１）。そして、溶接トーチ３の稼動が終了したか否かが判別される（Ｓ２）。具体的には、制御部３６は、電源部４０に電力が供給されなくなった場合に、トーチプラグがワイヤ送給装置２のコネクタ２１から取り外されたと判断し、溶接トーチ３の稼動が終了したと判別する。
【００７４】
溶接トーチ３の稼動が終了していない場合（Ｓ２：ＮＯ）、溶接電流が検出されたか否かが判別される（Ｓ３）。具体的には、使用検出部３６１が、電流センサ３５３から入力される電流信号に基づいて、溶接電流が流れているか否かを判別する。溶接電流が検出されない間（Ｓ３：ＮＯ）は、ステップＳ３の判別が繰り返される。溶接電流が検出された場合（Ｓ３：ＹＥＳ）は、溶接時間を計時するための変数ｔ（以下では、「使用時間ｔ」とする）が「０」に初期化され（Ｓ４）、使用時間ｔの計時が開始される（Ｓ５）。
【００７５】
そして、溶接電流の検出が終了したか否かが判別される（Ｓ６）。溶接電流の検出が終了しない間（Ｓ６：ＮＯ）、つまり、溶接電流が検出されている間は、ステップＳ６の判別が繰り返される。溶接電流の検出が終了した場合（Ｓ６：ＹＥＳ）は、使用時間ｔの計時が終了され（Ｓ７）、累積使用時間ｔｘに計時された使用時間ｔが加算されて（Ｓ８）、ステップＳ２に戻る。そして、ステップＳ２〜Ｓ８の処理が繰り替えされる。
【００７６】
ステップＳ２において、溶接トーチ３の稼動が終了した場合（Ｓ２：ＮＯ）、総累積使用時間を示す変数ｔｙ（以下では、「総累積使用時間ｔｙ」とする）に累積使用時間ｔｘが加算されて（Ｓ９）、溶接時間計時処理は終了する。
【００７７】
なお、図４のフローチャートに示す処理は一例であって、制御部３６が行う溶接時間計時処理は上述したものに限定されない。例えば、使用時間ｔを設けずに、ステップＳ５で累積使用時間ｔｘの計時を開始し、ステップＳ７で累積使用時間ｔｘの計時を中断するようにしてもよい。また、溶接トーチ３の稼動が終了したときに累積使用時間ｔｘを総累積使用時間ｔｙに加算する（ステップＳ９参照）のではなく、計時終了後にステップＳ８で使用時間ｔを総累積使用時間ｔｙに加算するようにしてもよい。また、ステップＳ５で総累積使用時間ｔｙの計時を開始し、ステップＳ７で総累積使用時間ｔｙの計時を中断するようにしてもよい。
【００７８】
また、本実施形態では、使用率が算出され、更新されるたびに記憶部３４に記憶される。使用率は、所定の時間内で溶接電流が流れている時間の割合を百分率で表したものである。制御部３６は、計時部３６２が計時した使用時間と、別途計時される所定の時間とから、使用率を演算する。この場合、制御部３６が本発明の「使用率演算部」に相当する。なお、使用率の算出方法は限定されない。表示制御部３６５は、演算された使用率に基づいて、「使用率」表示画面を生成し、表示部３２に出力して、ディスプレイ３２１に表示させる。表示制御部３６５は、メニュー画面から「使用率」表示画面が選択された場合や、操作手段による操作によって「使用率」表示画面に切り替えられた場合に、「使用率」表示画面の表示を行う（図３参照）。「使用率」表示画面は、溶接トーチ３の稼動中に表示することができる。
【００７９】
次に、溶接トーチ３での溶接時間の確認方法について説明する。
【００８０】
図５（ａ）は、作業終了後の溶接トーチ３の保管状態を示している。各作業者は、それぞれ専用の溶接トーチ３を配布されており、溶接作業においては当該溶接トーチ３を使用する。作業終了後、各作業者は、溶接トーチ３を所定の保管場所に収納する。各作業者は、決められた位置の収納ハンガー９に自分の溶接トーチ３を吊るしておくことになっている。
【００８１】
管理者は、各収納ハンガー９から溶接トーチ３を取り出し、「溶接時間」表示画面を表示させて、本日の溶接時間を確認する。「溶接時間」表示画面を表示させる方法は、メニュー画面を表示させて選択するようにしてもよいし、左ボタン３３２ｃまたは右ボタン３３２ｄの操作で画面を切り替えるようにしてもよい。なお、溶接トーチ３がワイヤ送給装置２から切り離されている場合に、まず、「溶接時間」表示画面を表示するようにしていれば、上記操作をすることなく「溶接時間」表示画面を表示させることができる。
【００８２】
溶接トーチ３がワイヤ送給装置２に接続されていない状態でも、電源部４０は、制御部３６および表示部３２に１０分程度、電力を供給できる。電源部４０は、いずれかの操作手段が操作されたときに、制御部３６および表示部３２に電力を供給して、ディスプレイ３２１の表示を開始する。なお、加速度センサ３５１によって溶接トーチ３の動きを検知したときに、ディスプレイ３２１の表示を開始するようにしてもよい。管理者は、ディスプレイ３２１の表示を開始してから１０分以内に、溶接時間を確認すればよい。管理者は、確認した本日の溶接時間が、勤務時間と比べて短すぎる場合に、作業者が怠けていた可能性があると判断できる。
【００８３】
また、本実施形態では、作業終了後だけでなく溶接作業中や溶接作業の合間でも、メニュー画面での選択や画面の切り替えによって、「溶接時間」表示画面を表示させて、累積使用時間（当日の溶接時間の累積時間）および総累積使用時間（前日までの溶接時間の積算時間）を確認することができる。さらに、溶接作業中や溶接作業の合間に「使用率」表示画面を表示させて、現在の使用率を確認することができる。
【００８４】
次に、溶接トーチ３の作用効果について説明する。
【００８５】
本実施形態によると、制御部３６は、溶接トーチ３の使用時間（溶接時間）を計時して、累積使用時間および総累積使用時間を算出している。また、溶接トーチ３のハンドル３８には、ディスプレイ３２１が配置されている。したがって、作業者は、溶接作業中や作業の合間に、手元のディスプレイ３２１に累積使用時間および総累積使用時間を表示して確認することができる。よって、わざわざ、溶接電源装置の表示装置まで確認しに行く必要がない。また、管理者が作業終了後の溶接トーチ３を１か所に集めて各溶接トーチ３の累積使用時間を確認する場合、各溶接トーチ３を表示装置にわざわざ接続する必要がない。また、電源部４０は、大容量のキャパシタを備えているので、ワイヤ送給装置２から電力が供給されない状態でも、表示部３２および制御部３６などに電力を供給することができる。したがって、溶接トーチ３は単体でも（外部から電力の供給がされなくても）、操作の受付および画面の表示などを行うことができる。したがって、各溶接トーチ３を電源装置にわざわざ接続する必要がない。よって、管理者は、累積使用時間（作業者の実際の作業時間）を容易に確認することができる
【００８６】
また、制御部３６は、使用率を算出し、ディスプレイ３２１に表示させることができる。したがって、作業者は、手元で使用率を確認することができるので、溶接作業を中断するなどの使用率の調整を容易に行うことができる。
【００８７】
なお、本実施形態においては、電流センサ３５３（センサ部３５）から入力される電流信号に基づいて溶接時間を計時する場合について説明したが、これに限られない。溶接電源装置１またはワイヤ送給装置２で溶接電流を検出している場合は、検出された電流検出信号を溶接トーチ３に送信し、溶接トーチ３は受信した電流検出信号に基づいて溶接時間を計時するようにしてもよい。具体的には、通信部３１が受信した電流検出信号を制御部３６の使用検出部３６１に入力して、使用検出部３６１が、入力された電流検出信号に基づいて、計時部３６２に使用時間の計時をさせるようにすればよい。この場合、溶接トーチ３に電流センサ３５３を設ける必要がなくなる。
【００８８】
本実施形態においては、溶接時間を溶接トーチ３の使用時間とみなして、溶接電流が流れている時間を計時する場合について説明したが、これに限られない。溶接電流が流れていなくても、作業者が溶接トーチ３を使用して作業を行っている場合がある。例えば、トーチスイッチ３３１を押下してガスのチェックをしている状態なども、作業者が作業を行っているとみなすことができる。この場合は無負荷状態であり溶接電流は流れないので、使用時間にカウントされない。この作業時間も使用時間にカウントするために、トーチスイッチ３３１の押下されている時間を、溶接トーチ３の使用時間として計時するようにしてもよい。具体的には、操作部３３から入力される、トーチスイッチ３３１の操作信号を制御部３６の使用検出部３６１に入力して、使用検出部３６１が、入力された操作信号に基づいて、計時部３６２に使用時間の計時をさせるようにすればよい。
【００８９】
本実施形態においては、電源部４０が大容量のキャパシタを備えている場合について説明したが、これに限られない。電源部４０が大容量のキャパシタを備えていなくても、溶接トーチ３は、溶接作業中や作業の合間に、累積使用時間および総累積使用時間をディスプレイ３２１に表示することができる。また、管理者が作業終了後の溶接トーチ３を１か所に集めて各溶接トーチ３の累積使用時間を確認する場合は、図５（ｂ）に示すように、表示部３２および制御部３６などに電力を供給するだけの簡易な電源装置１０を接続すればよい。電源装置１０は、溶接のための電力を供給する必要がなく、表示部３２および制御部３６などを駆動できる電力だけを供給できればよい。本実施形態では、これらの消費電力は１〜１２Ｗなので、１２Ｗの出力が可能なものとしている。なお、表示部３２および制御部３６などの消費電力がより大きい場合は、最大出力をより大きなものとすればよく、例えば２４Ｗの出力が可能なものとすればよい。また、電源装置１０は、二次電池や乾電池から電力を供給するものであってもよいし、電力系統からの交流電力を直流電力に変換して供給するものであってもよい。電源装置１０は、本発明の「簡易電源装置」に相当する。
【００９０】
本実施形態においては、溶接電源装置１とワイヤ送給装置２とが信号線８を介して通信を行う場合について説明したが、これに限られない。例えば、パワーケーブル４１，４２または電力伝送線５に信号を重畳させて通信を行うようにしてもよい、この場合、溶接電源装置１とワイヤ送給装置２とを接続する信号線８を必要としない。
【００９１】
図６は、本発明の他の実施形態を示している。なお、図６において、上記第１実施形態と同一または類似の要素には、上記第１実施形態と同一の符号を付している。
【００９２】
図６は、第２実施形態に係る溶接システムＡ２の機能構成を示すブロック図である。
【００９３】
図６に示す溶接システムＡ２は、ワイヤ送給装置２を備えていない点で、第１実施形態に係る溶接システムＡ１と異なる。溶接システムＡ２は、ワイヤ電極を用いない非消耗電極式の溶接システムである。
【００９４】
溶接電源装置１と溶接トーチ３とは、トーチケーブル３９によって接続されている。溶接電源装置１は、例えば凹型の接続用端子であるコネクタ１２を備えている。コネクタ１２は、溶接トーチ３のトーチケーブル３９の一端に備えられた凸型のトーチプラグ（図示しない）を差し込まれることで、溶接トーチ３と溶接電源装置１とを接続する。このコネクタ１２を介して、溶接電源装置１の内部のパワーケーブル４１、ガス配管７、電力伝送線５および信号線８が、それぞれ、トーチケーブル３９の内部のパワーケーブル４１、ガス配管７、電力伝送線および信号線に接続される。
【００９５】
第２実施形態においても、第１実施形態と同様の効果を奏することができる。
【００９６】
上記第１〜第２実施形態においては、本発明を溶接トーチ（溶接システム）に適用した場合について説明したが、これに限られない。例えば、先端に発生させたアークによって被加工物Ｗを切断するアーク切断トーチ（アーク切断システム）や、被加工物Ｗに溝彫りを行うアークガウジングトーチ（アークガウジングシステム）などにおいても、本発明を適用することができる。また、アークによる熱加工に限定されず、ガス溶接や抵抗溶接などの熱加工を行う熱加工用トーチ（熱加工システム）においても、本発明を適用することができる。
【００９７】
本発明に係る熱加工用トーチ、熱加工システム、簡易電源装置および確認方法は、上述した実施形態に限定されるものではない。本発明に係る熱加工用トーチ、熱加工システム、簡易電源装置および確認方法の各部の具体的な構成は、種々に設計変更自在である。
【符号の説明】
【００９８】
Ａ１，Ａ２：溶接システム（熱加工システム）
１        ：溶接電源装置（電源装置）
１２      ：コネクタ
２        ：ワイヤ送給装置
２１      ：コネクタ
３        ：溶接トーチ（熱加工用トーチ）
３１      ：通信部
３２      ：表示部
３２１    ：ディスプレイ
３３      ：操作部
３３１    ：トーチスイッチ（スイッチ）
３３２    ：操作ボタン
３３２ａ  ：上ボタン
３３２ｂ  ：下ボタン
３３２ｃ  ：左ボタン
３３２ｄ  ：右ボタン
３４      ：記憶部
３５      ：センサ部
３５１    ：加速度センサ
３５２    ：電流センサ
３６      ：制御部（使用率演算部）
３６１    ：使用検出部
３６２    ：計時部
３６３    ：累積使用時間計時部
３６４    ：積算部
３６５    ：表示制御部
３７      ：トーチボディ
３７１    ：ノズル
３８      ：ハンドル
３８１    ：制御基板
３９      ：トーチケーブル
４０      ：電源部
４１      ：パワーケーブル
４２      ：パワーケーブル
５        ：電力伝送線
６        ：ガスボンベ
７        ：ガス配管
８        ：信号線
９        ：収納ハンガー
１０      ：電源装置（簡易電源措置）
Ｐ        ：電力系統
Ｗ        ：被加工物
【図１】
2018061984.tif 000003
【図２】
2018061984.tif 000004
【図３】
2018061984.tif 000005
【図４】
2018061984.tif 000006
【図５】
2018061984.tif 000007
【図６】
2018061984.tif 000008